(57)【要約】【課題】筒部材の数を少なくすることができるとともに、内部空間を有効に活用することができ、更には沈胴長を短くすることができる沈胴型のレンズ鏡筒を提供する。【解決手段】レンズ鏡筒は、第１の光学系保持枠８は、第２の光学系保持枠６の回転を規制する被係合部を備え、第２の光学系保持枠６は、前記被係合部に対して光軸方向に沿って係合が可能な係合部を備える。係合部の結像側の端部は、ＳＩＮＫ状態、ＴＥＬＥ状態において、第１の光学系保持枠８が保持するレンズ群３よりも結像側に位置し、ＷＩＤＥ状態において、第１の光学系保持枠８が保持するレンズ群３よりも対物側に位置する。【選択図】図８
2009042639.tif 000002
【特許請求の範囲】
【請求項１】
複数の光学系保持枠を光軸方向に移動することにより変倍が可能な沈胴型のレンズ鏡筒において、
前記複数の光学系保持枠のうちの第１の光学系保持枠は、少なくとも一つの他の第２の光学系保持枠の回転を規制する被係合部を備え、
前記第２の光学系保持枠は、前記被係合部に対して光軸方向に沿って係合が可能な係合部を備え、
該係合部の結像側の端部は、沈胴状態から撮像状態までの間の第１の状態において、前記第１の光学系保持枠が保持するレンズ群よりも結像側に位置し、沈胴状態から撮像状態までの間の第２の状態において、前記第１の光学系保持枠が保持するレンズ群よりも対物側に位置する、
ことを特徴とするレンズ鏡筒。
【請求項２】
前記第１の光学系保持枠により回転が規制される第３の光学系保持枠を備え、該第３の光学系保持枠は、絞りシャッタ装置である、
ことを特徴とする請求項１に記載のレンズ鏡筒。
【請求項３】
前記第２の光学系保持枠は、２群光学系を保持する保持枠である、
ことを特徴とする請求項１または２に記載のレンズ鏡筒。
【請求項４】
前記第１の光学系保持枠は、３群光学系を保持する保持枠である、
ことを特徴とする請求項１〜３のいずれか一項に記載のレンズ鏡筒。
【請求項５】
前記第１の状態は、沈胴状態である、
ことを特徴とする請求項１〜４のいずれか一項に記載のレンズ鏡筒。
【請求項６】
前記第１の状態は、ＴＥＬＥ状態である、
ことを特徴とする請求項１〜４のいずれか一項に記載のレンズ鏡筒。
【請求項７】
前記第２の状態は、ＷＩＤＥ状態である、
ことを特徴とする請求項１〜６のいずれか一項に記載のレンズ鏡筒。
【請求項８】
前記被係合部は、前記第１の光学系保持枠の対物側の端部から結像側の端部の近傍まで形成されている、
ことを特徴とする請求項１〜７のいずれか一項に記載のレンズ鏡筒。
【請求項９】
前記係合部の一部は、前記第１の状態において、前記第１の光学系保持枠の結像側の端部の近傍に位置し、前記第２の状態において、前記第１の光学系保持枠の対物側の端部の近傍に位置する、
ことを特徴とする請求項１〜８のいずれか一項に記載のレンズ鏡筒。
【請求項１０】
被写体像を光電変換する撮像素子を備える撮像装置であって、
請求項１〜９のいずれか一項に記載のレンズ鏡筒を備える、
ことを特徴とする撮像装置。
【発明の詳細な説明】
【技術分野】
【０００１】
本発明は、例えば、デジタルカメラ等の撮像装置に搭載される、変倍機能を有する沈胴型のレンズ鏡筒、および該レンズ鏡筒を備える撮像装置に関する。
【背景技術】
【０００２】
従来の変倍機能を有する沈胴型のレンズ鏡筒としては、例えば図９に示すものがある。
【０００３】
図９に示すレンズ鏡筒は、１群レンズ１０１、２群レンズ１０２、３群レンズ１０３、４群レンズ１０４から構成される光学系であり、それぞれのレンズ群は、１群保持枠１０５、２群保持枠１０６、３群保持枠１０８、４群保持枠１０９に保持される。また、シャッタユニット１０７は、３群保持枠１０８に保持される。
【０００４】
１群保持枠１０５は、周方向に例えば６本の１群カムピン１０５ａを有し、２群保持枠１０６は、周方向に例えば３本の２群カムピン１０６ａを有する。また、３群保持枠１０８も、周方向に例えば３本の３群カムピン１０８ａを有する。
【０００５】
１群カムピン１０５ａは、回転カム筒１１０の外周面に設けられている１群カム１１０ａに嵌合し、２群カムピン１０６ａ、および３群カムピン１０８ａは、回転カム筒１１０の内周面に設けられている２・３群カム１１０ｂに嵌合する。
【０００６】
１群保持枠１０５の外周側には、１群直進筒１１１が配置され、回転カム筒１１０と２群保持枠１０６および３群保持枠１０８との間には、２・３群直進筒１１２が配置される。
【０００７】
１群直進筒１１１は、例えば内周面の周方向の６箇所に１群直進溝１１１ｃを有し、１群保持枠１０５は、例えば外周面の周方向の６箇所に係合突起１０５ｂを有する。１群直進溝１１１ｃと係合突起１０５ｂとは嵌合して、１群保持枠１０５は、１群直進筒１１１に対して回転が規制される。
【０００８】
２・３群直進筒１１２は、２群カムピン１０６ａおよび２群カムピン１０６ａまわりの係合突起１０６ｂが挿通される直進溝１１２ｂと、３群カムピン１０８ａおよび３群カムピンまわりの係合突起１０８ｂが挿通される直進溝１１２ｂとを有する。
【０００９】
直進溝１１２ｂおよび直進溝１１２ｂには、前記係合突起１０６ｂおよび前記係合突起１０８ｂがそれぞれ嵌合して、２群保持枠１０６および３群保持枠１０８は、２・３群直進筒１１２に対して回転が規制される。
【００１０】
２・３群直進筒１１２は、例えば対物側の端部外周面の周方向の６箇所に係合突起１１２ｃを有し、１群保持枠１０５は、例えば内周面の周方向の６箇所に不図示の直進溝を有する。
【００１１】
２・３群直進筒１１２の係合突起１１２ｃと１群保持枠１０５の不図示の直進溝１０５ｃとは嵌合して、２・３群直進筒１１２は、１群保持枠１０５に対して回転が規制される。
【００１２】
また、２・３群直進筒１１２は、結像側の端部外周面の周方向の６箇所に突起１１２ｄを有し、突起１１２ｄと係合突起１１２ｃとによって回転カム筒１１０の両端を挟み込んで、回転カム筒１１０に対して回転可能に該回転カム１１０と一体に直進移動する。
【００１３】
１群直進筒１１１の外周側には、駆動筒１１３が配置され、駆動筒１１３の外周側には、固定筒１１４が配置されている。
【００１４】
回転カム筒１１０は、例えば６本のカムピン１１０ｃを有し、該カムピン１１０ｃは、駆動筒１１３に設けられている直進溝１１３ｂを貫通して、固定筒１１４の内周に設けられているカム１１４ａに嵌合する。
【００１５】
１群直進筒１１１の外周には、例えば３本のカムピン１１１ａと３箇所の係合突起１１１ｂとが設けられている。
【００１６】
カムピン１１１ａは、駆動筒１１３の内周に設けられているカム１１３ａに嵌合し、係合突起１１１ｂは、固定筒１１４の内周に設けられている直進溝１１４ｂに嵌合して、１群直進筒１１１は、固定筒１１４に対して回転が規制される。
【００１７】
１群直進筒１１１、１群保持枠１０５、２・３群直進筒１１２、２群保持枠１０６、および３群保持枠１０８は、上述したように、固定筒１１４に対して回転が規制され、直進動作のみが可能となる。
【００１８】
駆動筒１１３は、結像側の端部外周の一部にギヤ１１３ｃが形成されている。不図示の駆動源からの駆動力がギヤ１１３ｃを介して駆動筒１１３に伝達されて、該駆動筒１１３が回転する。
【００１９】
回転カム筒１１０は、駆動筒１１３の回転に連動して回転して、固定筒１１４のカム１１４ａに沿って光軸方向に直進移動する。同時に、１群直進筒１１１は、駆動筒１１３のカム１１３ａに沿って光軸方向に直進移動し、１群保持枠１０５、２群保持枠１０６、３群保持枠１０８は、回転カム筒１１０のカム１１０ａ、１１０ｂに沿って光軸方向に直進移動する。
【００２０】
上記構成のレンズ鏡筒では、２群保持枠１０６または３群保持枠１０８からレンズ鏡筒の最外筒の固定筒１１４に至るまでの間に、７つの筒部材が必要となる。
【００２１】
即ち、２群保持枠１０６または３群保持枠１０８、２・３群直進筒１１２、回転カム筒１１０、１群保持枠１０５、１群直進筒１１１、駆動筒１１３、および固定筒１１４の７つの筒部材が必要となる。
【００２２】
そのため、レンズ鏡筒を小径化するためには、最内筒の２群保持枠１０６または３群保持枠１０８から最外筒の固定筒１１４までの間の筒部材の数を少なくすることが必要である。
【００２３】
筒部材の数を少なくしたレンズ鏡筒として、例えば、１群保持枠の回転を規制する直進筒を不要として、２群保持枠が１群保持枠の回転を規制する部材を兼ねるようにしたものが提案されている（特許文献１）。
【００２４】
この内容を、上述した図９のレンズ鏡筒に適用した場合の構成を図１０に示す。
【００２５】
図１０に示すように、３群保持枠１０８が、図９の２・３群直進筒１１２を有しており、２群カムピン１０６ａまわりの係合突起１０６ｂは、３群保持枠１０８の直進溝１０８ｃに嵌合している。その他の部材に関しては図９と同様である。
【特許文献１】特開２００３―２７０５０９号公報
【発明の開示】
【発明が解決しようとする課題】
【００２６】
ところで、上記特許文献１では、沈胴状態から撮像状態、あるいはＷＩＤＥ状態からＴＥＬＥ状態にかけての２・３群距離差が大きい場合、図１１に示すように、長さＬ６あるいは長さＬ８をそれぞれ図中の矢印方向に長くする必要がある。
【００２７】
即ち、２群保持枠１０６の地板からカムピン１０６ａまでの長さＬ６を図中の矢印方向に長くするか、３群保持枠１０８の直進溝１０８ｃの長さＬ８を図中の矢印方向に長くして、回転を規制する範囲を長く確保する必要がある。
【００２８】
しかし、２群保持枠１０６の地板からカムピン１０６ａまでの長さＬ６を長くした場合は、沈胴する際に、２群保持枠１０６が３群保持枠１０８に干渉する可能性がある。このため、該干渉を回避するために、３群保持枠１０８の一部を例えば凹形状１０８ｅにする必要があり、３群保持枠１０８の対物側から見た正面投影面積が小さくなる。
【００２９】
同様に、隣接しているシャッタユニット１０７の一部も凹形状にする必要があり、シャッタユニット１０７の正面投影面積が小さくなる。そのため、例えばシャッタユニット１０７内に内部機構を配置できなくなる等の不具合が生じる。
【００３０】
一方、３群保持枠１０８の直進溝１０８ｃの長さＬ８を長くした場合は、沈胴する際に、３群保持枠１０８の対物側の端部に１群保持枠１０５が干渉する可能性がある。このため、該干渉を回避するために、１群保持枠１０５の一部を対物方向に凹形状にする必要があり、沈胴長が長くなる。
【００３１】
そこで、本発明は、筒部材の数を少なくすることができるとともに、内部空間を有効に活用することができ、更には沈胴長を短くすることができるレンズ鏡筒、および該レンズ鏡筒を備える撮像装置を提供することを目的とする。
【課題を解決するための手段】
【００３２】
上記目的を達成するために、本発明のレンズ鏡筒は、複数の光学系保持枠を光軸方向に移動することにより変倍が可能な沈胴型のレンズ鏡筒において、前記複数の光学系保持枠のうちの第１の光学系保持枠は、少なくとも一つの他の第２の光学系保持枠の回転を規制する被係合部を備え、前記第２の光学系保持枠は、前記被係合部に対して光軸方向に沿って係合が可能な係合部を備え、該係合部の結像側の端部は、沈胴状態から撮像状態までの間の第１の状態において、前記第１の光学系保持枠の保持するレンズ群よりも結像側に位置し、沈胴状態から撮像状態までの間の第２の状態において、前記第１の光学系保持枠が保持するレンズ群よりも対物側に位置する、ことを特徴とする。
【００３３】
本発明の撮像装置は、被写体像を光電変換する撮像素子を備える撮像装置であって、請求項１〜９のいずれか一項に記載のレンズ鏡筒を備える、ことを特徴とする。
【発明の効果】
【００３４】
本発明によれば、筒部材の数を少なくすることができるとともに、内部空間を有効に活用することができ、更には沈胴長を短くすることができる。
【発明を実施するための最良の形態】
【００３５】
以下、本発明の実施の形態の一例を図面を参照して説明する。
【００３６】
図１は本発明の実施の形態の一例であるレンズ鏡筒を説明するための分解斜視図、図２は図１に示すレンズ鏡筒の断面図であり、（ａ）はＳＩＮＫ（沈胴）状態、（ｂ）はＷＩＤＥ状態、（ｃ）はＴＥＬＥ状態である。
【００３７】
なお、本実施形態では、被写体像を光電変換する撮像素子を備えるデジタルカメラ等の撮像装置に搭載される、変倍機能を有する２段沈胴型のレンズ鏡筒を例に採る。
【００３８】
本実施形態のレンズ鏡筒は、図１に示すように、１群レンズ１、２群レンズ（２群光学系）２、３群レンズ（３群光学系)３、４群レンズ４の複数のレンズ群から構成される光学系を備えている。レンズ群１〜４は、１群保持枠５、２群保持枠６、３群保持枠８、４群保持枠９にそれぞれ保持される。
【００３９】
１群保持枠５は、周方向に６本の１群カムピン５ａを有し、２群保持枠６は、周方向に３本の２群カムピン６ａを有する。また、３群保持枠８も周方向に３本の３群カムピン８ａを有し、シャッタユニット７も周方向に３本のシャッタカムピン７ａを有する。
【００４０】
１群カムピン５ａは、回転カム筒１０の外周面に設けられている１群カム１０ａに嵌合する。２群カムピン６ａ、シャッタカムピン７ａ、３群カムピン８ａは、それぞれ回転カム筒１０の内周面に設けられている２群カム１０ｂ、シャッタカム１０ｃ、３群カム１０ｄに嵌合する。
【００４１】
１群保持枠５の外周側には、１群直進筒１１が配置され、１群直進筒の外周側には、固定筒１２が配置される。１群直進筒１１は、内周面の周方向の６箇所に１群直進溝１１ｂを有し、１群保持枠５は、外周面の周方向の６箇所に係合突起５ｂを有する。
【００４２】
１群直進溝１１ｂと係合突起５ｂとは嵌合して、１群保持枠５は、１群直進筒１１に対して回転が規制される。
【００４３】
２群保持枠（第２の光学系保持枠）６の結像側の端部内周には、３群保持枠（第１の光学系保持枠）８に対して回転が規制される係合突起（係合部）６ｂ１、６ｂ２（図３参照）がそれぞれ周方向に３箇所に設けられている。
【００４４】
３群保持枠８は、対物側に延在する円筒形状を有し、その円筒形状には前記係合突起６ｂ１，６ｂ２がそれぞれ係合して回転が規制される係合面（被係合部）８ｂ１，８ｂ２を有する直進溝８ｂが周方向に３箇所に設けられている。
【００４５】
シャッタユニット７は、カムピン７ａのまわりに係合突起７ｂを有し、係合突起７ｂは３群保持枠８の直進溝８ｃに係合する。そのため、２群保持枠６およびシャッタユニット（絞りシャッタ装置：第３の光学系保持枠）７は、３群保持枠８に対して回転が規制される。
【００４６】
また、３群保持枠８は、直進溝８ｃの対物側の端部にテーパ面を有し、このテーパ面８ｅは、シャッタユニット７を回転カム筒１０の組み込み初期位相に誘導する役割を果たしている。
【００４７】
図５に、回転カム筒１０の内周面の展開図を示す。
【００４８】
図５に示すように、本実施形態では、シャッタカム１０ｃの沈胴状態の初期位相Ａが３群カム１０ｄの初期位相Ｂよりも図中左に位置している。従って、シャッタカム１０ｃの初期位相Ａの直近に、組み込みカムを回転カム筒１０の結像側（図の下側）に向けて引くと、３群カム１０ｄに干渉する。このため、シャッタカム１０ｃおよび３群カム１０ｄのそれぞれの組み込みカムを組み込みカム１０ｈとして共通にしている。
【００４９】
組み込みの順番から説明すると、シャッタユニット７のシャッタカムピン７ａを、まず、組み込みカム１０ｈから組み込むと、最初にシャッタカムピン７ａは１０ｃ′に位置することになる。
【００５０】
次に、３群保持枠８の３群カムピン８ａを組み込みカム１０ｈから組み込んでいくと、シャッタカムピン７ａは３群保持枠８の直進溝８ｃに設けられているテーパ面８ｅに沿い、直進溝８ｃに嵌合すると共に、シャッタカム１０ｃの初期位相Ａに誘導される。
【００５１】
１群直進筒１１は、外周面の周方向の６箇所に係合突起１１ａを有し、固定筒１２は、内周面の周方向の６箇所に直進溝１２ｂを有しており、係合突起１１ａと直進溝１２ｂとは嵌合して、１群直進筒１１は、固定筒１２に対して回転が規制される。
【００５２】
また、１群直進筒１１は、図４に示すように、結像側の端部内周に、溝部１１ｃと２箇所の切り欠き部１１ｄとを有する。回転カム筒１０は、結像側の端部外周に係合突起１０ｅを有する。
【００５３】
この係合突起１０ｅを１群直進筒１１の切り欠き部１１ｄから挿入して前記溝部１１ｃに位置させ、１群直進筒１１に対して回転カム筒１０を相対回転することにより、１群直進筒１１と回転カム筒１０とが結合して一体に直進移動する。
【００５４】
３群保持枠８は、結像側端部に設けられたフランジに周方向に３箇所の係合突起８ｄを有しり、この係合突起８ｄは、固定筒の直進溝１２ｂと嵌合して、３群保持枠８は、固定筒１２に対して回転が規制される。
【００５５】
１群直進筒１１、１群保持枠５、３群保持枠８、２群保持枠６、シャッタユニット７は、上述したように、固定筒１２に対して回転が規制され、直進動作のみ可能となる。
【００５６】
固定筒１２の外周側には、駆動筒１３が配置され、駆動筒１３の外周側には、カバー筒１４が配置される。回転カム筒１０は、それぞれ６本のカムピン１０ｆと駆動ピン１０ｇとを有する。
【００５７】
カムピン１０ｆは、固定筒１２の内周に設けられている回転カム１２ａに嵌合し、駆動ピン１０ｇは、固定筒１２に設けられている溝部１２ｃに挿通して、駆動筒１３の内周に設けられている直進溝１３ｂに嵌合する。
【００５８】
駆動筒１３は、結像側の端部外周の一部にギヤ１３ａが形成されている。ギヤ１３ａには、不図示の駆動源からの駆動力が伝達されるようになっており、これにより、駆動筒１３が回転駆動される。
【００５９】
次に、上記のように構成されたレンズ鏡筒の動作例を説明する。
【００６０】
不図示の駆動源からの駆動力が駆動筒１３に形成されているギヤ１３ａに伝達されると、該駆動筒１３が回転駆動される。
【００６１】
駆動筒１３が回転すると、駆動筒１３の直進溝１３ｂと、回転カム筒１０の駆動ピン１０ｇとの作用、回転カム筒１０のカムピン１０ｆと固定筒１２の回転カム１２ａとの作用により、回転カム筒１０は光軸方向に沿って回転しながら移動する。
【００６２】
１群保持枠５は、１群直進筒１１と係合突起５ｂとにより回転が規制され、１群直進筒１１は、固定筒１２と係合突起１１ａとにより回転が規制されている。
【００６３】
このため、回転カム筒１０が回転すると、回転カム筒１０の外周面の１群カム１０ａと１群保持枠５のカムピン５ａとの作用により、１群保持枠５は、回転することなく、光軸方向に沿って直進移動する。
【００６４】
このときの１群保持枠５の移動量は、回転カム筒１０による移動量と１群カム１０ａによる１群保持枠５の移動量とを合計した移動量となる。
【００６５】
２群保持枠６は、３群保持枠８と係合突起６ｂ１、６ｂ２とにより回転が規制され、３群保持枠８は、固定筒１２と係合突起８ｄとにより回転が規制されている。
【００６６】
このため、回転カム筒１０が回転すると、回転カム筒１０の内周面の２群カム１０ｂと２群保持枠６のカムピン６ａとの作用により、２群保持枠６は、回転することなく、光軸方向に沿って直進移動する。
【００６７】
このときの２群保持枠６の移動量は、回転カム筒１０による移動量と２群カム１０ｂによる２群保持枠６の移動量とを合計した移動量となる。
【００６８】
シャッタユニット７は、３群保持枠８と係合突起７ｂとにより回転が規制され、３群保持枠８は、固定筒１２と係合突起８ｄとにより回転が規制されている。
【００６９】
このため、回転カム筒１０が回転すると、回転カム筒１０の内周面のシャッタカム１０ｃとシャッタユニット７のカムピン７ａとの作用により、シャッタユニット７は、回転することなく、光軸方向に沿って直進移動する。
【００７０】
このときのシャッタユニット７の移動量は、回転カム筒１０による移動量とシャッタカム１０ｃによるシャッタユニット７の移動量とを合計した移動量となる。
【００７１】
３群保持枠８は、固定筒１２と係合突起８ｄとにより回転が規制されているため、回転カム筒１０が回転すると、回転カム筒１０の内周面の３群カム１０ｄと３群保持枠８のカムピン８ａとの作用により、回転することなく、光軸方向に沿って直進移動する。
【００７２】
このときの３群保持枠８の移動量は、回転カム筒１０による移動量と３群カム１０ｄによる３群保持枠８の移動量とを合計した移動量となる。
【００７３】
４群保持枠９は、不図示の駆動源により、例えば送りネジ等の駆動機構で、１群保持枠５、２群保持枠６、シャッタユニット７、３群保持枠８とは独立に制御されて、駆動される。
【００７４】
図６は、図１に示すレンズ鏡筒を構成する２群保持枠６、シャッタユニット７、および３群保持枠８の鏡筒組立体の斜視図であり、（ａ）はレンズ鏡筒のＳＩＮＫ（沈胴）状態、（ｂ）はレンズ鏡筒のＷＩＤＥ状態、（ｃ）はレンズ鏡筒のＴＥＬＥ状態である。
【００７５】
図７は図６に示す鏡筒組立体の側面図であり、図８は図６に示す鏡筒組立体の断面図である。
【００７６】
図６〜図８において、レンズ鏡筒のＳＩＮＫ（沈胴）状態、ＴＥＬＥ状態（第１の状態）では、２群保持枠６と３群保持枠８との距離は短くなり、ＷＩＤＥ状態（第２の状態）では、２群保持枠６と３群保持枠８との距離は長くなる。
【００７７】
このように、本実施形態のレンズ鏡筒では、ＳＩＮＫ（沈胴）状態から撮像状態、あるいはＷＩＤＥ状態からＴＥＬＥ状態にかけての２群保持枠６と３群保持枠８との距離差が大きい。
【００７８】
ここで、本実施形態では、３群保持枠８に形成された係合面８ｂ１，８ｂ２を有する直進溝８ｂが結像側に大きく切り欠かれている。
【００７９】
このため、レンズ鏡筒のＳＩＮＫ（沈胴）状態、ＴＥＬＥ状態においては、２群保持枠６の結像側の端部Ｃ（図８（ａ）および図８（ｃ）参照）が３群レンズ３の結像側の端部Ｄを跨いで３群保持枠８の結像側の端部に位置する。
【００８０】
また、レンズ鏡筒のＷＩＤＥ状態においては、２群保持枠６の結像側の端部Ｃ（図８（ｂ）参照）が３群レンズ３を跨いで３群保持枠８の対物側の端部Ｅの近傍に位置する。
【００８１】
これにより、２群保持枠６が３群保持枠８の鏡筒長の略全域にわたって移動可能となる。この結果、２群保持枠６と３群保持枠８との回転を規制する範囲を光軸方向に長く確保することができので、レンズ鏡筒の沈胴長を短くすることができる。
【００８２】
また、３群保持枠８が２群保持枠６およびシャッタユニット７の回転を規制するため、従来独立して設けていた直進筒を省略することができ、筒部材の数を少なくすることができる。
【００８３】
さらに、直進筒を省略することで、該直進筒の厚み分、２群保持枠６や３群保持枠８等の径を小さくすることができる。
【００８４】
さらに、２群保持枠６の係合突起６ｂ１、６ｂ２を保持する円筒形状が３群保持枠８の鏡筒外径よりも外周側に位置しているので、３群保持枠８およびシャッタユニット７の内部空間を有効に活用することができる。
【００８５】
さらに、本実施形態のレンズ鏡筒では、図７に示すように、２群保持枠６のカムピン６ａ、シャッタユニット７のカムピン７ａ、３群保持枠８のカムピン８ａを周方向に隣接して配置することができる。なお、カムピンまわりに係合突起を設けて２群保持枠６の回転を規制する場合、２群保持枠６、シャッタユニット７の回転を規制する直進溝がつながり、直進筒として成り立たなくなる。本実施形態では、２群保持枠６の回転規制を２群カムピン６ａと別箇所で行うことにより、カムピンの近接配置が可能となる。
【００８６】
なお、本発明は、上記実施の形態に例示したものに限定されるものではなく、本発明の要旨に逸脱しない範囲において適宜変更可能である。
【００８７】
例えば、上記実施の形態では、２段沈胴型の４群レンズ構成のレンズ鏡筒を例示したが、これに限定されず、１段あるいは３段以上の沈胴型のレンズ鏡筒、あるいは４群レンズ構成以外のレンズ構成のレンズ鏡筒に本発明を適用してもよい。
【００８８】
また、上記実施の形態では、３群保持枠８が２群保持枠６およびシャッタユニット７の回転を規制する場合を例示したが、これに限定されず、一つの光学系保持枠が該光学系保持枠以外の光学系保持枠の回転を規制する構成であれば本発明を適用可能である。
【００８９】
更に、上記実施の形態では、シャッタユニットがその他の光学系保持枠と独立して駆動する構成を例示したが、これに限定されず、シャッタユニットがその他の光学系保持枠に保持されている場合でも本発明を適用可能である。
【図面の簡単な説明】
【００９０】
【図１】本発明の実施の形態の一例であるレンズ鏡筒を説明するための分解斜視図である。
【図２】図１に示すレンズ鏡筒の断面図であり、（ａ）はＳＩＮＫ状態、（ｂ）はＷＩＤＥ状態、（ｃ）はＴＥＬＥ状態である。
【図３】図１に示すレンズ鏡筒を構成する２群保持枠を示す斜視図である。
【図４】図１に示すレンズ鏡筒を構成する１群直進筒を示す斜視図である。
【図５】図１に示すレンズ鏡筒を構成する回転カム筒の内周面の展開図である。
【図６】図１に示すレンズ鏡筒を構成する２群保持枠、シャッタユニット、および３群保持枠の鏡筒組立体の斜視図であり、（ａ）はＳＩＮＫ状態、（ｂ）はＷＩＤＥ状態、（ｃ）はＴＥＬＥ状態である。
【図７】図６に示す鏡筒組立体の側面図であり、（ａ）はＳＩＮＫ状態、（ｂ）はＷＩＤＥ状態、（ｃ）はＴＥＬＥ状態である。
【図８】図６に示す鏡筒組立体の断面図であり、（ａ）はＳＩＮＫ状態、（ｂ）はＷＩＤＥ状態、（ｃ）はＴＥＬＥ状態である。
【図９】従来の変倍機能を有する沈胴型レンズ鏡筒の一例を説明するための分解斜視図である。
【図１０】図９に示すレンズ鏡筒の断面図であり、（ａ）はＳＩＮＫ状態、（ｂ）はＷＩＤＥ状態である。
【図１１】図９に示すレンズ鏡筒に、特開２００３―２７０５０９号公報の内容を適用した場合の構成例を示す断面図であり、（ａ）はＳＩＮＫ状態、（ｂ）はＷＩＤＥ状態である。
【符号の説明】
【００９１】
１      １群レンズ
２      ２群レンズ
３      ３群レンズ
４      ４群レンズ
５      １群保持枠
５ａ    １群カムピン
５ｂ    １群係合突起
６      ２群保持枠
６ａ    ２群カムピン
６ｂ１  ２群係合突起
６ｂ２  ２群係合突起
７      シャッタユニット
７ａ    シャッタカムピン
７ｂ    シャッタ係合突起
８      ３群保持枠
８ａ    ３群カムピン
８ｂ１  ３群係合面
８ｂ２  ３群係合面
８ｂ    直進溝
８ｃ    ３群直進溝
８ｄ    ３群係合突起
８ｅ    ３群テーパ面
９      ４群保持枠
１０    回転カム筒
１０ａ  １群カム
１０ｂ  ２群カム
１０ｃ  シャッタカム
１０ｄ  ３群カム
１０ｅ  回転カム係合突起
１０ｆ  回転カムピン
１０ｇ  回転カム駆動ピン
１０ｈ  組み込みカム
１１    １群直進筒
１１ａ  １群直進筒係合突起
１１ｂ  １群直進筒直進溝
１１ｃ  １群直進筒溝部
１１ｄ  １群直進筒切り欠き部
１２    固定筒
１２ａ  回転カム
１２ｂ  固定筒直進溝
１２ｃ  固定筒溝部
１３    駆動筒
１３ａ  駆動筒ギヤ
１３ｂ  駆動筒直進溝
１４    カバー筒
１５    撮像素子地板
【図１】
2009042639.tif 000003
【図２】
2009042639.tif 000004
【図３】
2009042639.tif 000005
【図４】
2009042639.tif 000006
【図５】
2009042639.tif 000007
【図６】
2009042639.tif 000008
【図７】
2009042639.tif 000009
【図８】
2009042639.tif 000010
【図９】
2009042639.tif 000011
【図１０】
2009042639.tif 000012
【図１１】
2009042639.tif 000013